(57)【要約】【課題】紙を二つ折りして冊子形態に製本する紙折り装置において、仕上がり品位と処理速度の両立を図る。【解決手段】一対のピンチローラ４，  ５からなるページ数の少ない冊子に適した第一のプレス機構と、一対のクランプブロック８，  ９とストッパープレート１０と転圧ローラ１１とからなる厚手の冊子に適した第二のプレス機構を二層配置する。紙の枚数が例えば５枚以下のときはピンチローラ４，  ５が閉じ、ストッパープレート１０は用紙の経路から退避し、上方のプッシュブレード１により押し下げられた用紙はピンチローラ４，  ５により折畳まれて下方へ排出される。紙の枚数が多いときは、クランプブロック８，  ９が閉じて用紙の折曲げ部位を挟み、転圧ローラ１１が折曲げ部分を角型にプレス成形し、冊子の膨らみを抑える。【選択図】  図１
2004168539.tif 000002
【特許請求の範囲】
【請求項１】
１セットの紙を二つ折りにプレス成形する紙折り装置であって、一対のピンチローラからなる第一のプレス手段と、一対のクランプ部材ならびにクランプ部材が挟持した紙の折曲げ部位へ圧接して冊子の背を成形するプレス部材とからなる第二のプレス手段と、紙を二つ折りにして第一のプレス手段または第二のプレス手段へ供給するプッシュブレードとを備え、第一のプレス手段ならびに第二のプレス手段をプッシュブレードの経路と退避位置とへ移動する駆動手段を設け、第一のプレス手段と第二のプレス手段とを択一的に切換えて紙折りを実行できるように構成した紙折り装置。
【請求項２】
紙の枚数、厚さなどの情報により、上記第一のプレス手段または第二のプレス手段を選択する制御手段を備えた請求項１記載の紙折り装置。
【請求項３】
１セットの紙を二つ折りにする処理装置であって、一対のクランプ部材ならびにクランプ部材により保持された紙の折曲げ部位へ圧接して冊子の背を成形するプレス部材を備えた紙折り装置において、前記プレス部材の断面形状を三角断面またはアール断面などの中高形状或いは波形としたことを特徴とする紙折り装置。
【請求項４】
上記プレス部材はローラであり、ローラを紙の折曲げ部位の長手方向へ転動させて冊子の背を成形する請求項３記載の紙折り装置。
【請求項５】
上記ローラがプレス工程後に冊子の背の長手方向端部外へ退避するように構成した請求項４記載の紙折り装置。
【請求項６】
上記プレス部材はブロックであり、ブロックを紙の折曲げ部位へ圧接させて冊子の背を成形する請求項３記載の紙折り装置。
【発明の詳細な説明】
【０００１】
【発明の属する技術分野】
この発明は、中綴じされた紙を二つ折りにして冊子形態に製本する紙折り装置に関するものであり、特に、紙の枚数にかかわらず良好な仕上がりが得られるようにした紙折り装置に関するものである。
【０００２】
【従来の技術】
複数枚の紙をステープルなどで中綴じしたものを二つ折りにして冊子の形態とする紙折り装置は種々のものが知られている。一つの例としては、一対のローラにより紙を挟んで二つ折りにするものがあり、二つ折りすべき紙の中心線を一対のローラの接線に位置合わせし、可動ブレードにより紙の中心を一対のローラの間に押し込み、回転する一対のローラにより紙を折畳むように構成したものが知られている（例えば特許文献１参照）。
【０００３】
また、特許文献２には、可動ブレードにより紙の中心を一対のクランピングジョーの間に押し込み、一対のクランピングジョーにより紙を左右からクランプし、一対のクランピングジョーの間から突出している紙の折り曲げ部位をローラにより押し潰すことにより冊子の背を角型にプレス成形する方法および装置が記載されている。
【０００４】
【特許文献１】特開平１１−３４８４５１号公報（段落番号００２０、００２１）
【０００５】
【特許文献２】特開２００１−２６０５６４号公報
【０００６】
【発明が解決しようとする課題】
一対のローラの間に紙を二つ折りにして挿入し、回転する一対のローラにより紙に折り目を付けるピンチローラ式の紙折り装置は、ページ数が少ない場合や紙が薄手で全体の厚さが薄い場合には良好な仕上がりが得られる。しかし、紙を単純に平折りするので、ページ数が多い場合や厚手の紙の場合は冊子が膨らんだ状態となって見栄えが悪く、冊子を積み重ねることも困難である。
【０００７】
一方、紙を二つ折り状態でクランプし、冊子の背となる部分をローラにて転圧して角形にプレス成形するものは、ページ数が多い場合や厚手の紙の場合であっても冊子が膨らんだ状態となることはなく仕上がりが良好であるが、冊子の背に沿ってローラを走行させることにより、先のピンチローラ式のものよりも１サイクルの時間がかかるという問題がある。
【０００８】
そこで、紙の枚数や厚さにかかわらず良好な仕上がりが得られ、且つ処理時間を可及的に節減できるようにするために解決すべき技術的課題が生じてくるのであり、本発明は上記課題を解決することを目的とする。
【０００９】
【課題を解決するための手段】
この発明は、上記目的を達成するために提案するものであり、１セットの紙を二つ折りにプレス成形する紙折り装置であって、一対のピンチローラからなる第一のプレス手段と、一対のクランプ部材ならびにクランプ部材が挟持した紙の折曲げ部位へ圧接して冊子の背を成形するプレス部材とからなる第二のプレス手段と、紙を二つ折りにして第一のプレス手段または第二のプレス手段へ供給するプッシュブレードとを備え、第一のプレス手段ならびに第二のプレス手段をプッシュブレードの経路と退避位置とへ移動する駆動手段を設け、第一のプレス手段と第二のプレス手段とを択一的に切換えて紙折りを実行できるように構成した紙折り装置を提供するものである。
【００１０】
また、紙の枚数、厚さなどの情報により、上記第一のプレス手段または第二のプレス手段を選択する制御手段を備えた紙折り装置を提供するものである。
また、１セットの紙を二つ折りにする処理装置であって、一対のクランプ部材ならびにクランプ部材により保持された紙の折曲げ部位へ圧接して冊子の背を成形するプレス部材を備えた紙折り装置において、前記プレス部材の断面形状を三角断面またはアール断面などの中高形状或いは波形としたことを特徴とする紙折り装置を提供するものである。
【００１１】
また、上記プレス部材はローラであり、ローラを紙の折曲げ部位の長手方向へ転動させて冊子の背を成形する紙折り装置を提供するものである。
また、上記ローラがプレス工程後に冊子の背の長手方向端部外へ退避するように構成した紙折り装置を提供するものである。
【００１２】
また、上記プレス部材はブロックであり、ブロックを紙の折曲げ部位へ圧接させて冊子の背を成形する紙折り装置を提供するものである。
【００１３】
【発明の実施の形態】
以下、この発明の実施の一形態を図に従って詳述する。図１は紙折り装置の機構配置を示し、１はプッシュブレード、２，  ３はピンチローラフレームであり、ピンチローラフレーム２，  ３にはそれぞれ一つのピンチローラ４，  ５が取付けられていて、ピンチローラフレーム２，  ３の上面が用紙テーブル６，  ７となっている。ピンチローラフレーム２，  ３はモータ駆動式スライド機構（図示せず）により図１の離反位置と図２の接近位置とへスライドされ、接近位置ではピンチローラ４，  ５が接触し、モータによって回転駆動される一方のピンチローラ４と他方の従動形ピンチローラ５とが同期回転する。
【００１４】
ピンチローラフレーム２，  ３の下には一対のクランプブロック８，  ９が配置されており、一対のクランプブロック８，  ９はモータにより開閉駆動され、後述する角折りモード時にクランプブロック８，  ９の間へ送込まれた紙をクランプする。クランプブロック８，  ９の下に配置したストッパープレート１０は、図１に示す初期位置と図２に示す右退避位置とへスライドモータにより移動される。プッシュブレード１の下降経路上に示されている転圧ローラ１１は、角折りモード時に図において紙面の表裏方向へ転動して冊子の背をプレスするが、動作時以外はプッシュブレード１の経路から外れた位置（図において紙面の奥）に退避している。
【００１５】
通常、紙折り装置は紙の中心を綴じる電動ステープラとともに複写機へ組込まれるが、電動ステープラと紙折り装置を組合わせたスタンドアロン型綴じ処理装置としての使用形態も考えられる。紙折り装置は複写機または綴じ処理装置の制御部により制御され、紙の枚数情報或いは枚数と紙厚とによる総体的な書類の厚さ情報により、ピンチローラ４，  ５による平折りモードまたはクランプブロック８，９と転圧ローラ１１とによる角折りモードのいずれかを選択して紙折り処理を実行するように構成し、例えば５枚以下の書類の場合は平折りモードが選択され、６枚以上の書類の場合は角折りモードが選択されて紙折り処理が実行されるようにする。また、スタンドアロン型綴じ処理装置の場合は、モード選択スイッチ等によりユーザが処理モードを任意に選択できるようにしてもよい。
【００１６】
次に、紙折り装置の動作を説明する。複写機内または綴じ処理装置内で電動ステープラにより紙の中心線上にステープルを打って綴じ処理された紙Ｐが用紙テーブル６，  ７へ送られるが、紙枚数が５枚以下の場合は平折りモードに入り、図２に示すようにピンチローラフレーム２，  ３が閉じられて一対のピンチローラ４，  ５が接触状態で回転を開始するとともに、ストッパープレート１０は退避位置へ移動される。そして、プッシュブレード１が下降を開始し、紙Ｐの中心線を下方へ押して一対のピンチローラ４，  ５の間へ挿入した後に上昇して初期位置へ戻る。紙Ｐは回転する一対のピンチローラ４，  ５に挟まれて二つ折りプレスされ、図３に示すように下方へ排出される。
【００１７】
紙枚数が６枚以上の場合は角折りモードに入り、図４に示すようにピンチローラフレーム２，  ３は開放位置のままでプッシュブレード１が下降し、用紙テーブル６，  ７上の紙Ｐの中心を押してストッパープレート１０へ押し付け、クランプブロック８，９が閉鎖方向へ駆動されて紙Ｐの折り曲げ線の近傍を左右からクランプする。次に、図５に示すようにストッパープレート１０が横へ退避し、転圧ローラ１１が紙Ｐの背に沿って転動して冊子の背を角型にプレスする。そして、図６に示すようにピンチローラフレーム２，  ３が閉じて一対のピンチローラ４，  ５が紙Ｐを挟むとともにプッシュブレード１、クランプブロック８，  ９が待機位置へ戻り、ピンチローラ４，  ５が回転を開始して紙を下方へ排出する。
【００１８】
このように、ピンチローラ４，  ５による第一のプレス手段並びにクランプブロック８，  ９とストッパープレート１０と転圧ローラ１１とによる第二のプレス手段の二系統の機構を自動選択或いは手動選択するように構成したので、綴じるべき紙の厚さに応じて適切な処理を行うことができる。
【００１９】
図７は他の実施形態を示し、２１はプッシュブレード、２２，  ２３は用紙テーブル、２４，  ２５はピンチローラであり、２６，  ２７はクランプブロック、２８はストッパープレート、２９は転圧ローラである。ピンチローラ２４，  ２５は、モータ駆動式スライド機構により、プッシュブレードの直下位置または左退避位置へ移動され、紙枚数の少ない冊子の場合は、図８に示すようにプッシュブレードの直下へ移動されて紙Ｐを二つ折りプレスしつつ、図９に示すように紙Ｐを下方へ排出する。また、紙枚数が多い冊子の場合は、図１０に示すようにピンチローラ２４，  ２５をプッシュブレードの直下から退避させ、下方のクランプブロック２６，  ２７によりクランプし（図１１）、転圧ローラ２９により角折り処理（図１２）を行い、クランプブロック２４，  ２５を開いて紙Ｐを排出（図１３）する。
【００２０】
尚、図１４（ａ）に示すように転圧ローラ３１を中高形状とすれば、図１４（ｂ）に示すように角折り処理後の冊子Ｐの背Ｂと表紙Ｃとが鋭角に折り曲げられ、湾曲した背Ｂがやや復元するときに表紙Ｃの先端が閉じるので冊子が開くことがなく、多部数の冊子を積み重ねたときに崩落する虞が低下する。また、図１５（ａ）に示すように断面形状が波形の転圧ローラ３２や、図１５  （ｂ）に示すようにアール形転圧ローラ３３も図１４の転圧ローラ３１と同様の効果が得られる。図１６に示す転圧ローラ３４は、上述したものとは逆に断面Ｍ形状であるが、この場合は、転圧ローラが紙の中央を綴じているステープルを変形させる虞が減少するという利点がある。
【００２１】
また、紙の背のプレス手段としてローラに代えて、図１７に示すように紙の背の全長に及ぶプレスブロック３５を用い、プレスブロック３５を紙Ｐの背に圧接させて角形に整形するようにしてもよい。また、図１８に示すようにストッパープレート３６を階段形状とすれば、ストッパープレート３６のスライド位置によりクランプブロック３７，  ３８からの紙の突出長ｘを制御することが可能となる。このストッパープレート３６を用い、供給される冊子の厚さ情報に応じて紙の突出長ｘを制御することにより、例えば、枚数の少ない冊子の場合は突出長ｘを少なくし、紙の枚数が多い場合は突出長ｘを大きくして冊子の厚さに適した仕上がりとすることができる。
【００２２】
尚、この発明は上記の実施形態に限定するものではなく、この発明の技術的範囲内において種々の改変が可能であり、この発明がそれらの改変されたものに及ぶことは当然である。
【００２３】
【発明の効果】
以上説明したように、本発明の紙折り装置は、処理速度が高速で薄手の冊子形成に適したピンチローラ式平折り機構と、ページ数の多い厚手の冊子形成に適した転圧ローラによる角折り機構とを厚さやページ数に応じて選択的に使用できるように構成したので、薄手の冊子の場合はピンチローラ式平折り機構により短時間で能率的に処理ができ、厚手の冊子の場合は角折り機構により冊子の膨らみを抑えた高品位の仕上がりが得られ、仕上がり品位と処理速度を両立することができた。
【図面の簡単な説明】
【図１】本発明の実施の一形態を示し、紙折り装置の正面図。
【図２】図１の紙折り装置の動作行程を示す正面図。
【図３】図１の紙折り装置の動作行程を示す正面図。
【図４】図１の紙折り装置の動作行程を示す正面図。
【図５】図１の紙折り装置の動作行程を示す正面図。
【図６】図１の紙折り装置の動作行程を示す正面図。
【図７】他の実施形態を示し、紙折り装置の正面図。
【図８】図７の紙折り装置の動作行程を示す正面図。
【図９】図７の紙折り装置の動作行程を示す正面図。
【図１０】図７の紙折り装置の動作行程を示す正面図。
【図１１】図７の紙折り装置の動作行程を示す正面図。
【図１２】図７の紙折り装置の動作行程を示す正面図。
【図１３】図７の紙折り装置の動作行程を示す正面図。
【図１４】（ａ）は転圧ローラの他の実施形態を示す正面図、（ｂ）は角折り処理結果を示す正面図である。
【図１５】（ａ）  （ｂ）はそれぞれ転圧ローラの他の実施形態及び角折り処理結果を示す正面図である。
【図１６】転圧ローラの他の実施形態を示す正面図。
【図１７】プレスブロックを示し、（ａ）は正面図、（ｂ）は側面図である。
【図１８】ストッパープレートの他の実施形態を示す正面図。
【符号の説明】
１              プッシュブレード
２，  ３        ピンチローラフレーム
４，  ５        ピンチローラ
６，  ７        用紙テーブル
８，  ９        クランプブロック
１０              ストッパープレート
１１              転圧ローラ
２１              プッシュブレード
２２，  ２３      用紙テーブル
２４，  ２５      ピンチローラ
２６，  ２７      クランプブロック
２８              ストッパープレート
２９              転圧ローラ
３１              転圧ローラ
３２              転圧ローラ
３３              転圧ローラ
３４              転圧ローラ
３５              プレスブロック
３６              ストッパープレート
３７，  ３８      クランプブロック
【図１】
2004168539.tif 000003
【図２】
2004168539.tif 000004
【図３】
2004168539.tif 000005
【図４】
2004168539.tif 000006
【図５】
2004168539.tif 000007
【図６】
2004168539.tif 000008
【図７】
2004168539.tif 000009
【図８】
2004168539.tif 000010
【図９】
2004168539.tif 000011
【図１０】
2004168539.tif 000012
【図１１】
2004168539.tif 000013
【図１２】
2004168539.tif 000014
【図１３】
2004168539.tif 000015
【図１４】
2004168539.tif 000016
【図１５】
2004168539.tif 000017
【図１６】
2004168539.tif 000018
【図１７】
2004168539.tif 000019
【図１８】
2004168539.tif 000020